(57)【特許請求の範囲】
【請求項１】
WEBカメラを含む動画、静止画撮影装置を利用した薬局業務の監視システムにおいて、
１）業務を行うワークエリアの作業台に設けられた下記３）のＲＦＩＤリーダーの検出範囲が内部に収まる撮影エリアを設定し、該業務のタイミングを通知するためのトリガー信号を受信している間の業務進行を、前記撮影エリアを連続して撮影することによって画像記録する、ネットワークに接続したWEBカメラを含む 動画、静止画撮影装置、
２）前記薬局業務に用いる搬器に取り付けたRFIDタグ、
３）前記ワークエリアで行われる業務の性質に応じて、電波の出力の範囲内で前記RFIDタグの検出エリアを設定し、前記搬器が作業台の所定の位置に置かれると前記RFIDタグが検出され、該RFIDタグを検出している間 前記トリガー信号を前記撮影装置に発信し続ける、ネットワークに接続したRFIDリーダー、
４）前記業務進行の画像記録である画像データにファイル名を付加し保存する、ネットワークに接続した画像記憶手段、
５）前記ファイル名を前記RFIDタグの検出時間、前記ワークエリア情報および前記RFIDリーダーが読み出した前記RFIDタグの書き込み情報に関連付けて記録する、ネットワークに接続したデータ管理手段、
を備えることを特徴とするシステム。
【請求項２】
WEBカメラを含む動画、静止画撮影装置を利用した薬局業務の監視システムにおいて、
１）業務を行うワークエリアの作業台に設けられた下記３）のＲＦＩＤリーダーの検出範囲が内部に収まる撮影エリアを設定し、該業務のタイミングを通知するための起動信号と終了信号に制御されて前記撮影エリアを連続して撮影することによって業務進行を画像記録する、ネットワークに接続したWEBカメラを含む動画、静止画撮影装置、
２）前記薬局業務に用いる搬器に取り付けたRFIDタグ、
３）前記ワークエリアで行われる業務の性質に応じて、電波の出力の範囲内で前記RFIDタグの検出エリアを設定し、前記搬器が作業台の所定の位置に置かれると前記RFIDタグが検出され、該RFIDタグを検出すると前記WEBカメラを含む動画、静止画撮影装置に撮影記録の開始を指示する起動信号を送信し、前記ＲＦＩＤが検出されなくなると前記WEBカメラを含む動画、静止画撮影装置に撮影記録の終了を指示する終了信号を送信する、ネットワークに接続したＲＦＩＤリーダー、
４）前記起動信号の受信から前記終了信号の受信までの間の業務進行の記録である画像データにファイル名を付加し保存する、ネットワークに接続した画像記憶手段、
５）前記ファイル名を前記RFIDタグの検出時間、前記ワークエリア情報および前記ＲＦＩＤリーダーが前記ＲＦＩＤタグから読み取った書き込み情報に関連付けて記録する、ネットワークに接続したデータ管理手段、
を備えることを特徴とするシステム。
【請求項３】
前記ワークエリアは、受付エリア、調剤エリア、ピッキングエリア、交付エリアから選ばれる少なくとも１つのエリアであることを特徴とする請求項１又は２記載のシステム。
【請求項４】
前記薬局業務で扱う医薬品には該医薬品に関する医薬品情報を運ぶコードが添付されており、前記搬器に該医薬品を収納する時に該コードが運ぶ医薬品情報を読み取り、前記ＲＦＩＤタグに該医薬品情報を書き込むことを特徴とする請求項１乃至３記載のシステム。
【請求項５】
前記ＲＦＩＤの書き込み情報はユニークＩＤであり、前記薬局業務で扱う医薬品には該医薬品に関する医薬品情報を運ぶコードが添付されており、前記搬器に該医薬品を収納する時に該コードが運ぶ医薬品情報を読み取り、前記ＲＦＩＤタグのユニークＩＤと関連づけて該医薬品情報を前記データ管理手段に記録することを特徴とする請求項１乃至３記載のシステム。
【請求項６】
前記医薬品情報を運ぶコードは、バーコード、２次元コードから選ばれる少なくとも１つであることを特徴とする請求項４又は５記載のシステム。
【請求項７】
前記医薬品情報は、患者名、薬種、量、処方箋コード、作業者コード、監査者コードから選ばれる少なくとも１つであることを特徴とする請求項４乃至６記載のシステム。
【請求項８】
前記作業台には前記RFIDタグの検出範囲を示す表示が設けられており、前記ワークエリアにおける作業者が前記搬器をタグ検出に適切な位置に置くためのガイドに供せられることを特徴とする請求項１乃至７記載のシステム。
【請求項９】
前記画像データは、前記検出時間、前記ワークエリア情報、前記ＲＦＩＤタグの書き込み情報、前記医薬品情報から選ばれる少なくとも１つをキーに検索されることを特徴とする請求項１乃至８記載のシステム。
【請求項１０】
前記検索はブラウザからネットワーク経由で行われることを特徴とする請求項９記載のシステム。
【請求項１１】
前記画像は動画であり、前記トリガー信号が続く間の業務進行のビデオデータを１つのファイルとして保存することを特徴とする請求項１、３乃至１０記載のシステム。
【請求項１２】
前記画像は動画であり、前記起動信号の受信から前記終了信号の受信までの間の業務進行のビデオデータを１つのファイルとして保存することを特徴とする請求項２乃至１０記載のシステム。
【請求項１３】
前記データ管理手段において管理するデータは、RFIDタグコード、RFIDタグの検出時間、ワークエリア情報、患者名、薬種、量、処方箋コード、作業者コード、監査者コード、画像ファイル名から選ばれる複数項目から構成されるワークフローの管理データであり、各項目の値はワークフローに従って前記ワークエリアを移動する前記RFIDタグを検出するタイミングによって関連付けられていることを特徴とする請求項１乃至１２記載のシステム。
【発明の詳細な説明】
【技術分野】
【０００１】
本発明は、WEBカメラを含む動画、静止画撮影装置を利用して、業務を監視するシステム、特にＲＦＩＤにより制御されたWEBカメラを含む動画、静止画撮影装置による業務監視システムに関する。
【背景技術】
【０００２】
最近は、記憶媒体や記憶装置の大容量化にともない、ビデオカメラで業務を監視するシステムが様々な業務において事故や犯罪を防止する目的で利用されている。しかしながら、タダ漫然とビデオに業務や業務が行われているワークエリアを撮影しつづけている従来の監視システムでは、業務事故や業務に関わる商品に瑕疵が発見されてその原因や瑕疵の範囲をトレースしようとしても、膨大なビデオデータから瑕疵に関係する画像を探し出すことは時間の掛かる作業であり、敏速な対応を要求する高度なトレーサビリティを実現するには、問題があるシステムであった。
【０００３】
さらには従来の漫然とワークエリアを撮影する方法では、トレースしたい対象をクリアに撮影することを意図的に出来ず、長時間にわたる画像から対象に焦点があった画像を探さなければならず、非効率的であった。
【０００４】
漫然と画像記録するのではなく、所定のトリガーに応じてクリアな記録していくことを目的としたシステムとして、特許文献１に挙げられる様なシステムがある。ここでは、パン・チルド・ズーム機能を備えたカメラを撮影対象の場所に複数設置して、撮影画像の逐次比較による動き検出トリガと、監視センターのパソコンのＷｅｂブラウザの操作によるトリガと、一定周期ごとに所定の間隔で自動発生するトリガと、非常釦の操作によるトリガといった様々なトリガを設定して監視情報に記録しているが、例えば調剤薬局など医療機関において取り扱う医薬品のように外見はあまり違いが無くても大きな医療過誤、事故を含んでいるような撮影対象をクリアに撮影したり、業務のタイミングに合わせて撮影し、撮影した画像と処方指示との関連付けをしながら画像を記録し、高いトレーサビリティを実現するには不十分である。
【特許文献１】特開２００２−３２５７１
【発明の開示】
【発明が解決しようとする課題】
【０００５】
WEBカメラを含む動画、静止画撮影装置を適切に制御し、撮影の対象とする業務を漏れなく撮影し、かつ瑕疵や事故があった場合などに関連する画像を敏速に検索し、高度なトレーサビリティを実現する画像監視システムを提供することが本発明の課題である。
【課題を解決するための手段】
【０００６】
本発明者は、上記課題を達成するため鋭意検討の結果、ＲＦＩＤでWEBカメラを含む動画、静止画撮影装置を制御していくことで高いトレーサビリティを実現するシステムを実現可能であることを知見し、本発明をなすに至った。
【０００７】
請求項１記載の発明は、WEBカメラを含む動画、静止画撮影装置を利用した薬局業務の監視システムにおいて、
１）業務を行うワークエリアの作業台に設けられた下記３）のＲＦＩＤリーダーの検出範囲が内部に収まる撮影エリアを設定し、該業務のタイミングを通知するためのトリガー信号を受信している間の業務進行を、前記撮影エリアを連続して撮影することによって画像記録する、ネットワークに接続したWEBカメラを含む 動画、静止画撮影装置、
２）前記薬局業務に用いる搬器に取り付けたRFIDタグ、
３）前記ワークエリアで行われる業務の性質に応じて、電波の出力の範囲内で前記RFIDタグの検出エリアを設定し、前記搬器が作業台の所定の位置に置かれると前記RFIDタグが検出され、該RFIDタグを検出している間 前記トリガー信号を前記撮影装置に発信し続ける、ネットワークに接続したRFIDリーダー、
４）前記業務進行の画像記録である画像データにファイル名を付加し保存する、ネットワークに接続した画像記憶手段、
５）前記ファイル名を前記RFIDタグの検出時間、前記ワークエリア情報および前記RFIDリーダーが読み出した前記RFIDタグの書き込み情報に関連付けて記録する、ネットワークに接続したデータ管理手段、
を備えることを特徴とする。
【０００８】
請求項２記載の発明は、WEBカメラを含む動画、静止画撮影装置を利用した薬局業務の監視システムにおいて、
１）業務を行うワークエリアの作業台に設けられた下記３）のＲＦＩＤリーダーの検出範囲が内部に収まる撮影エリアを設定し、該業務のタイミングを通知するための起動信号と終了信号に制御されて前記撮影エリアを連続して撮影することによって業務進行を画像記録する、ネットワークに接続したWEBカメラを含む動画、静止画撮影装置、
２）前記薬局業務に用いる搬器に取り付けたRFIDタグ、
３）前記ワークエリアで行われる業務の性質に応じて、電波の出力の範囲内で前記RFIDタグの検出エリアを設定し、前記搬器が作業台の所定の位置に置かれると前記RFIDタグが検出され、該RFIDタグを検出すると前記WEBカメラを含む動画、静止画撮影装置に撮影記録の開始を指示する起動信号を送信し、前記ＲＦＩＤが検出されなくなると前記WEBカメラを含む動画、静止画撮影装置に撮影記録の終了を指示する終了信号を送信する、ネットワークに接続したＲＦＩＤリーダー、
４）前記起動信号の受信から前記終了信号の受信までの間の業務進行の記録である画像データにファイル名を付加し保存する、ネットワークに接続した画像記憶手段、
５）前記ファイル名を前記RFIDタグの検出時間、前記ワークエリア情報および前記ＲＦＩＤリーダーが前記ＲＦＩＤタグから読み取った書き込み情報に関連付けて記録する、ネットワークに接続したデータ管理手段、
を備えることを特徴とするシステム。
【０００９】
請求項３記載の発明においては、請求項１又は２記載の発明における前記ワークエリアは、受付エリア、調剤エリア、ピッキングエリア、交付エリアから選ばれる少なくとも１つのエリアであることを特徴とする。
【００１０】
請求項４記載の発明においては、請求項１乃至３記載の発明における薬局業務で扱う医薬品には該医薬品に関する医薬品情報を運ぶコードが添付されており、前記搬器に該医薬品を収納する時に該コードが運ぶ医薬品情報を読み取り、前記ＲＦＩＤタグに該医薬品情報を書き込むことを特徴とする。
【００１１】
請求項５記載の発明においては、請求項１乃至３記載の発明における前記ＲＦＩＤの書き込み情報はユニークＩＤであり、薬局業務で扱う医薬品には該医薬品に関する医薬品情報を運ぶコードが添付されており、前記搬器に該医薬品を収納する時に該コードが運ぶ医薬品情報を読み取り、前記ＲＦＩＤタグのユニークＩＤと関連づけて該医薬品情報を前記データ管理手段に記録することを特徴とする。
【００１２】
請求項６記載の発明においては、請求項４又は５記載の発明における前記医薬品情報を運ぶコードは、バーコード、２次元コードから選ばれる少なくとも１つであることを特徴とする。
【００１３】
請求項７記載の発明においては、請求項４乃至６記載の発明における前記医薬品情報は、患者名、薬種、量、処方箋コード、作業者コード、監査者コードから選ばれる少なくとも１つであることを特徴とする。
【００１４】
請求項８記載の発明においては、請求項１乃至７記載の発明における前記作業台には前記RFIDタグの検出範囲を示す表示が設けられており、前記ワークエリアにおける作業者が前記搬器をタグ検出に適切な位置に置くためのガイドに供せられることを特徴とし、撮影と対象とする医薬品を正しい位置においてＲＦＩＤの情報読み取り、医薬品の撮影を確実にする効果がある。
【００１５】
請求項９記載の発明においては、請求項１乃至８記載の発明における前記画像データは、前記検出時間、前記ワークエリア情報、前記ＲＦＩＤタグの書き込み情報、前記医薬品情報から選ばれる少なくとも１つをキーに検索されることを特徴とする。
【００１６】
請求項１０記載の発明においては、請求項９記載の発明における前記検索はブラウザからネットワーク経由で行われることを特徴とする。
【００１７】
請求項１１記載の発明においては、請求項１，３乃至１０記載の発明における前記画像は動画であり、前記トリガー信号が続く間の業務進行のビデオデータを１つのファイルとして保存することを特徴とする。
【００１８】
請求項１２記載の発明においては、請求項２乃至１０記載の発明における前記画像は動画であり、前記起動信号の受信から前記終了信号の受信までの間の業務進行のビデオデータを１つのファイルとして保存することを特徴とする。
【００１９】
請求項１３記載の発明においては、請求項１乃至１２記載の発明における前記データ管理手段において管理するデータは、RFIDタグコード、RFIDタグの検出時間、ワークエリア情報、患者名、薬種、量、処方箋コード、作業者コード、監査者コード、画像ファイル名から選ばれる複数項目から構成されるワークフローの管理データであり、各項目の値はワークフローに従って前記ワークエリアを移動する前記RFIDタグを検出するタイミングによって関連付けられていることを特徴とする。
【発明の効果】
【００２０】
本発明により、WEBカメラを含む動画、静止画撮影装置を適切に制御し、撮影の対象とする業務を漏れなく撮影し、かつ瑕疵や事故があった場合などに関連する画像を敏速に検索し、高度なトレーサビリティを実現する画像監視システムを提供することができる。
【実施例】
【００２１】
図１は、本発明のシステムの概略構成図である。ネットワーク１０２に接続したｎ箇所のワークエリア１０１１、１０１２〜１０１ｎ、ネットワーク１０２に接続した画像記憶手段１０５、ネットワーク１０２に接続したデータ管理手段１０４、ネットワークに接続したリーダ／ライター１０３、ネットワークに接続したブラウザ端末１０６から構成される。
【００２２】
図２はワークエリアのひとつ１０１ｘの内部の撮影に関わる部分を示した構成図である。WEBカメラ２０１、WEBカメラの撮影エリア内に設定されたＲＦＩＤタグの検出エリア２０２、撮影対象２０３、撮影対象に取り付けられたＲＦＩＤタグ２０４、このＲＦＩＤタグを検出するＲＦＩＤリーダー２０５という構成である。ここで画像撮影装置としてWEBカメラを採用したが、本発明の画像撮影装置はWEBカメラに限られるものではなく、ネットワーク１０２に接続できる動画、静止画撮影装置であれば、いかなる画像撮影装置でも採用することが可能である。
ことにします。
【００２３】
ここでWEBカメラ２０１、ＲＦＩＤリーダー２０５はワークエリアまできているネットワーク１０２に接続している。WEBカメラ２０１は、ＲＦＩＤリーダー２０５から発信される信号により制御される。制御の機構については後で詳しく説明する。
【００２４】
ＲＦＩＤタグ２０４は、ＲＦＩＤリーダー２０５からの質問波を受信して応答波を発信し、ＲＦＩＤリーダー２０５に検出される。ＲＦＩＤリーダーはＲＦＩＤタグを検出すると、WEBカメラ２０１に対して所定の制御信号をネットワーク１０２を介して発信し、さらにＲＦＩＤタグが運ぶ情報を同様にネットワークを介してデータ管理手段１０５に送信する。
ここではWEBカメラへの制御信号送信をネットワーク使う方式を採用しているが、本発明はこれに限られるものではなく赤外線通信などで直接WEBカメラと通信する方式でも良い。
この検出エリア２０２は、ワークエリアで行われる業務の性質や撮影対象を考慮して、電波の出力の範囲内で任意に設定することが出来る。
【００２５】
以下、本発明のシステムを調剤薬局のワークエリアに導入する場合を想定して具体的にその機材仕様や動作を説明していく。撮影対象は処方指示に従って調剤されピッキングして集められ交付される医薬品である。医薬品は外見が似たものが多く、精度の低い画像では瑕疵や事故をトレースするには不十分である。また、一つの処方箋で多くの種類の医薬品が処方されることが多く、医薬品にＲＦＩＤタグを取り付けるにも課題がある。
【００２６】
図３は、撮影の対象となる３種類の医薬品３０１〜３０３、医薬品を薬局のワークエリア内で持ち運ぶのに利用される搬器３００を示している。搬器３００の底部には、ＲＦＩＤタグ２０４が装着されている。ここでＲＦＩＤタグは１つの処方箋ＩＤと関連づけられており、中に収納された医薬品はそこで処方された一連の医薬品として取り扱われることになる。また、ここで採用するＲＦＩＤタグは薄いカード型のタイプを採用し、搬器を置いたときの安定を妨げないものが選ばれている。
【００２７】
図４はワークエリアの作業台４０１に設けられたＲＦＩＤリーダー２０８を示した図である。ここでWEBカメラ２０１の撮影エリア４０２の内部に検出範囲が収まるようにＲＦＩＤリーダーが設置されており、その検出範囲を示すペイントマーク４０３が作業面に表示されている。
【００２８】
図５はWEBカメラ２０１の制御動作を詳しく説明するためのシークエンス図である。
横軸ｔは時間の進行を示し、破線の矢印５０１はＲＦＩＤタグからの応答波、実線矢印５０２、５０３はＲＦＩＤリーダーから発信する制御信号を示している。
【００２９】
時刻Ｔ１において２０２１に示すようにＲＦＩＤタグ２０４が検出エリア２０２にはいると、ＲＦＩＤリーダー２０８は、WEBカメラ２０１に対して、起動信号５０２を送信する。次に時刻Ｔ２において２０２２に示すように検出エリア２０２からＲＦＩＤタグ２０４が出ると、ＲＦＩＤリーダー２０８は終了信号５０３を送信する。
【００３０】
WEBカメラ２０１の制御動作については、他の方式があり、図６はそれを示したものである。図５とほぼ同じ構成であるが、時刻Ｔ１からＴ２までＲＦＩＤタグが検出され続けている間ずっと、６０２に示すようにトリガー信号をＲＦＩＤリーダーはWEBカメラに対して発信し続け、WEBカメラはトリガー信号を受信している間づっと、撮影を続けるように制御される。
【００３１】
図７〜図９は、ワークエリアで業務進行とWEBカメラからの画像を記憶する画像記憶手段１０４の動作、タグの検出など所定のタイミングでデータ記録、データ関連づけなどの管理動作を行うデータ管理手段１０５の動作との関係を時系列的に説明した図である。
【００３２】
図７と図８は、ＲＦＩＤタグが運ぶ情報が、処方箋情報や医薬品情報などを含む複数のものである場合である。
【００３３】
図７は、調剤エリアやピッキングエリアにおける業務とシステムの動作の関連を示している。まず処方指示ステップ７０１１において、ワークエリアへの処方の通知がおこなわれる。通知は特に図示していないワークエリア内のネットワークに接続したコンピュータ画面やＱＲコードを付した処方箋などで行われる。データ管理手段では、データ作成ステップ７０３１が処方指示と同時か、先だって処方箋ＩＤでユニークに識別される処方管理データが新規に作成される。
【００３４】
次に搬器準備ステップ７０１２において、処方に使う空の搬器を用意し、ＲＦＩＤタグに処方箋ＩＤを書き込む。ＲＦＩＤタグへの書き込みは、ワークエリアのネットワークに接続したリーダー／ライターか、ＱＲコードリーダーで処方箋に付されたコードを読み取り、リーダー／ライターを用いるなど、ワークエリアの設備に応じて行われる。
【００３５】
次に搬器セットステップ７０１３において、準備された搬器がワークエリアの作業台に置かれる。このとき作業台には検出エリアを示すペイントマークをガイドに適切な位置に置かれるように作業者は注意する。正しく置かれれば、タグ検出ステップ７０１４において、ＲＦＩＤタグが検出され、WEBカメラが起動し、画像記憶手段では７０２１ステップにおいて画像記憶が開始される。このときデータ管理手段では、データ記録ステップ７０３２においてタグ検出時間、エリア情報、タグＩＤ、処方箋ＩＤを記録する。
【００３６】
次にステップ７０１５において、調剤、ピッキングなどの薬局の業務が行われる。調剤、ピッキングされた医薬品には医薬品情報が入ったＱＲコードが付されており、コードスキャンステップ７０１６でＱＲコードリーダーで処方箋に付されたコードを読み取り、タグ書き込みステップ７０１７において、リーダー／ライターからＲＦＩＤタグへ書き込まれる。
【００３７】
医薬品収納ステップ７０１８で、このワークエリアにおける調剤、ピッキング作業がすべて行われると、ステップ７０１９において、搬器は移動し、ＲＦＩＤリーダーに検出されなくなる。WEBカメラも撮影動作を終了する。このとき画像記憶手段においては画像記憶終了ステップ７０２２となり、画像データにファイル名が与えられ記憶される。
【００３８】
データ管理手段では、データ関連づけステップ７０３３となり、新しく生成された処方管理データにステップ７０３２で記録された検出時間と関連づけて画像のファイル名が記録される。
【００３９】
図８は、医薬品の監査、医薬品の交付など新たに医薬品の追加収納がないワークエリアでの業務とシステムの動作の関連を示している。
【００４０】
搬器セットステップ８０１１では、監査人や受付係などの作業者が他のワークエリアから移動して持ち込まれてきた搬器を作業台のペイントマークされた場所に置く。そしてステップ８０１２でＲＦＩＤタグの検出がなされると、このワークエリアのWEBカメラが起動し、画像記憶手段においてはステップ８０２１の画像記憶開始となる。このとき、データ管理手段においては、ＲＦＩＤリーダーが読み取ったＲＦＩＤタグが運んでいる処方箋ＩＤ、医薬品情報を受け取り、検出時間、エリア情報、医薬品情報が処方管理データに記録される。
【００４１】
次にステップ８０１３において、監査、交付などの作業が行われ、ステップ８０１４で移動すると、ＲＦＩＤタグが検出されなくなり、WEBカメラの撮影が終了する。このとき画像記憶手段においては画像記憶終了ステップ８０２２となり、画像データにファイル名が与えられ記憶される。画像データにファイル名が与えられ記憶される。
【００４２】
データ管理手段では、データ関連づけステップ８０３２となり、処方管理データに画像のファイル名がステップ８０３１で記録されたデータと関連づけて記録される。
【００４３】
図９と図１０は、ＲＦＩＤタグが運ぶ情報が、タグＩＤのみであり、ＲＦＩＤタグに医薬品情報などを運ばせない場合のワークエリアで業務進行とWEBカメラからの画像を記憶する画像記憶手段１０４の動作、タグの検出など所定のタイミングでデータ記録、データ関連づけなどの管理動作を行うデータ管理手段１０５の動作との関係を時系列的に説明した図である。
【００４４】
図９は、調剤エリアやピッキングエリアにおける業務とシステムの動作の関連を示している。まず処方指示ステップ９０１１において、ワークエリアへの処方の通知がおこなわれる。通知は特に図示していないワークエリア内のネットワークに接続したコンピュータ画面やＱＲコードを付した処方箋などで行われる。データ管理手段では、データ作成ステップ９０３１が処方指示と同時か、先だって処方箋ＩＤでユニークに識別される処方管理データが新規に作成される。
【００４５】
次に搬器準備ステップ９０１２において、処方に使う空の搬器を用意し、この搬器のタグＩＤを処方管理データに登録する。タグＩＤの登録は、ワークエリアの処方指示を受けたコンピュータに接続したＲＦＩＤリーダー／ライターで読み取ることで行われる。
【００４６】
次に搬器セットステップ９０１３において、準備された搬器がワークエリアの作業台に置かれる。このとき作業台には検出エリアを示すペイントマークをガイドに適切な位置に置かれるように作業者は注意する。正しく置かれれば、タグ検出ステップ９０１４において、ＲＦＩＤタグが検出され、WEBカメラが起動し、画像記憶手段では９０２１ステップにおいて画像記憶が開始される。このときデータ管理手段では、データ記録ステップ９０３２においてタグ検出時間、エリア情報、タグＩＤを記録する。
【００４７】
次にステップ９０１５において、調剤、ピッキングなどの薬局の業務が行われる。調剤、ピッキングされた医薬品には医薬品情報が入ったＱＲコードが付されており、コードスキャンステップ９０１６において、ネットワークに接続したＱＲコードリーダーで処方箋に付されたコードを読み取られて、データ管理手段に送信され、データ追記ステップ９０３３において、この医薬品情報が処方管理データに登録される。
【００４８】
医薬品収納ステップ９０１７で、このワークエリアにおける調剤、ピッキング作業がすべて行われると、ステップ９０１８において、搬器は移動し、ＲＦＩＤリーダーに検出されなくなる。WEBカメラも撮影動作を終了する。このとき画像記憶手段においては画像記憶終了ステップ９０２２となり、画像データにファイル名が与えられ記憶される。
【００４９】
データ管理手段では、データ関連づけステップ９０３４となり、処方管理データにステップ９０３２で記録された検出時間と関連づけて画像のファイル名が記録される。
【００５０】
図１０は、医薬品の監査、医薬品の交付など新たに医薬品の追加収納がないワークエリアでの業務とシステムの動作の関連を示している。
【００５１】
搬器セットステップ１００１１では、監査人や受付係などの作業者が他のワークエリアから移動して持ち込まれてきた搬器を作業台のペイントマークされた場所に置く。そしてステップ１００１２でＲＦＩＤタグの検出がなされると、このワークエリアのWEBカメラが起動し、画像記憶手段においてはステップ１００２１の画像記憶開始となる。このとき、データ管理手段においては、ＲＦＩＤリーダーが読み取ったＲＦＩＤタグが運んでいるタグＩＤ、検出時間が処方管理データに記録される。
【００５２】
次にステップ１００１３において、監査、交付などの作業が行われ、ステップ１００１４で移動すると、ＲＦＩＤタグが検出されなくなり、WEBカメラの撮影が終了する。このとき画像記憶手段においては画像記憶終了ステップ１００２２となり、画像データにファイル名が与えられ記憶される。画像データにファイル名が与えられ記憶される。
【００５３】
データ管理手段では、データ関連づけステップ１００３２となり、処方管理データに画像のファイル名がステップ１００３１で記録されたデータと関連づけて記録される。
【００５４】
図１のブラウザ端末１０６は、画像記憶手段１０４、データ管理手段１０５とネットワークを介して接続しており、ブラウザ画面からキーワードを入力し、所望の画像を閲覧するように構成されている。このブラウザ端末は、画像を閲覧できるに足るスペックを持つ端末であれば、パソコン、ＰＤＡ（Personal Digital Assistance）、ブラウザ機能付き携帯電話、専用端末などをどれでも採用できる。
【００５５】
図１１は、データ管理手段に管理された処方管理データの構成を示したものである。画像の検索はここに記録されたデータ項目をキーとして画像検索することが出来る。
【００５６】
図１２はブラウザ端末に表示された検索画面である。検索項目となっているキーの入力について簡単な説明を加える。検索項目同士は３つの薬ＩＤを除き、基本的には入力されたキー同士のＡＮＤ検索として認識され、動作する。ここで検出時間は所望の時間的範囲を指定することが可能であり、例えば２００５年１１月２７日１６時００分〜２００５年１１月２８日１６時００分というように一定の範囲で検索することが出来る。薬ＩＤ１〜３の項目は、その用量ともにそれぞれ、ＡＮＤ検索かＯＲ検索かを選択することが可能となっている。
【００５７】
図１３は、画像検索した結果の一覧表画面である。ここでヒットした画像はファイル名で表示され、クリックすることで画像を表示することが出来る。図１４は表示された画像の一例である。下に表示されたサムネイル表示ボタン１３０１をクリックすると、ヒットしたファイルの小さな画像を上位２０件までまとめて閲覧することが出来る。
【００５８】
本発明はここで示した検索方式や検索画面に限られるものではなく、トレーサビリティの必要から求められる検索項目や検索方法を本発明で扱うデータの範囲内において採用可能である。
【産業上の利用可能性】
【００５９】
本発明のシステムは、注意深い作業が要求される業務において、そのワークエリアでの作業を記録し、事故や過誤が発生した場合でも、その事故や過誤に関連するクリアな画像を迅速に検索し、作業を確認することが可能となり、高度なトレーサビリティが強く求められる業界において利用の可能性が大きい。
【図面の簡単な説明】
【００６０】
【図１】本発明のシステムの概略構成図
【図２】ワークエリアの撮影に関わる部分を示した構成図
【図３】撮影の対象となる医薬品、医薬品の搬器
【図４】ワークエリアの作業台に設けられたＲＦＩＤリーダー
【図５】WEBカメラの制御動作のシークエンス図
【図６】他の方式による制御動作のシークエンス図
【図７】ワークエリアで業務進行と画像記憶手段、データ管理手段の動作の関係図
【図８】ワークエリアで業務進行と画像記憶手段、データ管理手段の動作の関係図
【図９】ワークエリアで業務進行と画像記憶手段、データ管理手段の動作の関係図
【図１０】ワークエリアで業務進行と画像記憶手段、データ管理手段の動作の関係図
【図１１】処方管理データの構成
【図１２】ブラウザ端末に表示された検索画面
【図１３】検索結果の一覧表画面
【図１４】撮影した画像
【符号の説明】
【００６１】
１０１１  ワークエリア
１０２  ネットワーク
１０３  リーダ／ライター
１０４  画像記憶手段
１０５  データ管理手段
１０６  ブラウザ端末
【図１】
0004276654.tif 000002
【図２】
0004276654.tif 000003
【図３】
0004276654.tif 000004
【図４】
0004276654.tif 000005
【図５】
0004276654.tif 000006
【図６】
0004276654.tif 000007
【図７】
0004276654.tif 000008
【図８】
0004276654.tif 000009
【図９】
0004276654.tif 000010
【図１０】
0004276654.tif 000011
【図１１】
0004276654.tif 000012
【図１２】
0004276654.tif 000013
【図１３】
0004276654.tif 000014
【図１４】
0004276654.tif 000015